(57)【特許請求の範囲】
【請求項１】
電話回線に接続するための局線接続手段，短縮ダイヤルを記憶した記憶手段およびこれら手段を制御する制御手段を備えた被交換側の第１の電話装置と、
複数の単独電話を接続するための単独電話接続手段，短縮ダイヤルを記憶するための記憶手段およびこれら手段を制御する制御手段を備えた交換用の新たな第２の電話装置と、
前記第１の電話装置を前記第２の電話装置と交換する際に前記第１の電話装置の局線接続手段と前記第２の電話装置の単独電話接続手段とを接続する電話回線Ｉ／Ｆと、
前記第１の電話装置の制御手段に接続して記憶手段から短縮ダイヤルを電話回線Ｉ／Ｆに送出させる第１の操作用電話と、
前記第２の電話装置の制御手段に接続してこの制御手段を短縮プログラム転送モードに設定する第２の操作用電話とよりなり、
第２の電話装置の制御手段は第１の電話装置から電話回線Ｉ／Ｆに送出された短縮ダイヤルを検出して第２の電話装置の記憶手段に記憶させることを特徴とする短縮ダイヤル転送装置。
【発明の詳細な説明】
【０００１】
【発明の属する技術分野】
この発明は電話通信に使用されるボタン電話装置の主装置や構内交換電話装置の構内交換装置等の、単独電話と局線とが接続される電話装置に関する。
【０００２】
【従来の技術】
故障や新機種対応等のためボタン電話装置の主装置や構内交換電話装置の構内交換装置等の電話装置を、他の電話装置に交換（リプレース）する場合、被交換側電話装置に記憶されていた短縮ダイヤルを、新しい電話装置に同様に記憶させる必要がある。
【０００３】
図３は従来の電話装置に、短縮ダイヤルを設定する手段を示したものである。図において５は電話装置、５１は制御手段、５２は記憶手段、５４は単独電話接続手段、６ａ〜６ｎは単独電話、７は転送操作用電話、８は転送入力手段である。
【０００４】
しかして、制御手段５１には複数の単独電話機６ａ〜６ｎを接続する単独電話接続手段５４と、短縮ダイヤルを記憶する記憶手段５２とが接続されている。そして、この電話装置５に短縮ダイヤルを登録（記憶）する場合には、制御手段５１に操作用電話７あるいは入力手段８を接続して、短縮ダイヤルを入力する。
【０００５】
すなわち、ボタン電話装置の主装置などのように比較的小型の電話装置を新たな電話装置と交換する場合は、制御手段５１に操作用の電話機７を接続し、この操作用電話機７の各機能ボタンやダイヤルボタンを操作することにより、再度短縮ダイヤルの登録操作を行う。また、構内交換電話装置の構内交換装置のように比較的大型の電話装置の場合には、前記操作用電話７を用いる以外に、キーボードやディスプレイを備えた保守用の入力手段８を制御手段５１に接続し、この入録手段８にて所定の操作を行うことで短縮ダイヤルを入力し、記憶手段５２に記憶させていた。
【０００６】
【発明が解決しようとする課題】
しかしながら、このような従来の装置では、電話装置交換の際に作業者が前記操作用電話７や入力手段８を操作して、一々短縮ダイヤルを再度入力する操作を行わなければならず、作業が繁雑で時間がかかると共に、操作ミスにより誤ったダイヤルを登録してしまう恐れがあった。
【０００７】
この発明はかかる点に鑑みなされたもので、その目的とするところは、簡単な操作で、しかも確実に、短時間の内に短縮ダイヤルの登録が可能な短縮ダイヤル転送装置を提供することにある。
【０００８】
【課題を解決するための手段】
上記課題を解決するため本発明は、電話回線に接続するための局線接続手段１３，短縮ダイヤルを記憶した記憶手段１２およびこれら手段を制御する制御手段１１を備えた被交換側の第１の電話装置１と、複数の単独電話を接続するための単独電話接続手段２４，短縮ダイヤルを記憶するための記憶手段２２およびこれら手段を制御する制御手段２１を備えた交換用の新たな第２の電話装置２と、前記第１の電話装置を前記第２の電話装置と交換する際に前記第１の電話装置１の局線接続手段１３と前記第２の電話装置２の単独電話接続手段２４とを接続する電話回線Ｉ／Ｆ４と、前記第１の電話装置１の制御手段１１に接続して記憶手段１２から短縮ダイヤルを電話回線Ｉ／Ｆ４に送出させる第１の操作用電話３ａと、前期第２の電話装置２の制御手段２１に接続してこの制御手段を短縮プログラム転送モードに設定する第２の操作用電話３ｂとよりなり、第２の電話装置２の制御手段２１は第１の電話装置１から電話回線Ｉ／Ｆ４に送出された短縮ダイヤルを検出して第２の電話装置２の記憶手段２２に記憶させることにより、短縮ダイヤルを第１の電話装置１から第２の電話装置２に転送させるようにした。
【０００９】
【発明の実施の形態】
次に本発明の実施の形態について説明する。図１は本発明にかかる短縮ダイヤル転送装置の基本構成を示したブロック図である。図において、１は第１の電話装置、１１はこの第１の電話装置の制御手段、１２は同様に記憶手段、１３は同様に局線接続手段である。２は第２の電話装置、２１はこの第２の電話装置の制御手段、２２は同様に記憶手段、２４は同様に単独電話接続手段である。また、３ａ、３ｂはそれぞれ転送操作用電話である。
【００１０】
ボタン電話装置の主装置等である第１の電話装置１は、交換される側の電話装置であって、その記憶手段１２には短縮ダイヤルその他必要なデータが格納されている。通常、この第１の電話装置１の制御手段１１は局線接続手段１３による電話回線（局線）の捕捉、ダイヤルトーンの検出といった電話装置の動作に必要な制御を行う。そして、専用の電話機から入力された短縮ダイヤルの信号を検出すると、記憶手段１２に記憶されている該当する短縮ダイヤルを送出させる。
【００１１】
なお、ここで短縮ダイヤルとは短縮ダイヤルとして登録されているダイヤルを指標し、発信操作の際に実際にダイヤルボタン等により操作される短縮コード（通常は短縮ダイヤル機能に相当する機能ボタン＋短縮ダイヤルが格納されているメモリーのアドレス０１，０２・・・）とは区別して扱う。
【００１２】
第２の電話装置は交換する側の新たな電話装置であって、その基本的な構成は第１の電話装置同様にボタン電話装置や構内交換装置として機能するために必要な動作を行いうるものである。単独電話接続手段２４は通常は単独電話を接続してダイヤル信号や音声信号、その他必要なデータ信号の授受を行うものである。
【００１３】
しかして、２つの電話装置の交換時に、第１の電話装置１の局線接続手段１３と、第２の電話装置の単独電話接続手段２４とを、電話回線Ｉ／Ｆ（インターフェース）４を介して接続する。そして、第１の電話装置１に接続されている操作用電話３ａにて短縮ダイヤルの発信操作（例えば、”短縮”＋”０１”押下）を行うと、制御手段１１は記憶手段１２に記憶されている短縮ダイヤルを局線接続手段１３を介して電話回線Ｉ／Ｆ４上に送出する。
【００１４】
第２の電話装置２は、電話回線Ｉ／Ｆ４から単独電話接続手段２４を介して短縮ダイヤルを受け取る。制御手段２１はプロセッサや所定の制御プログラムにより構成されているが、この制御手段２１は、予め操作用電話３ｂによる所定の操作により、短縮プログラム転送モードとした場合には、受信したダイヤル信号を短縮ダイヤルとして記憶手段２２に格納するよう設定（プログラム）されている。
【００１５】
従って、制御手段２１は単独電話接続手段２４が短縮ダイヤルのダイヤル信号を受信したことを検出すると、そのダイヤル信号を短縮ダイヤルデータとして、記憶手段２２に記憶する。このようにして、第１の電話装置１から第２の電話装置２に短縮ダイヤルが転送される。なお、一般に、通常の電話装置１，２には局線接続手段１３や単独電話接続手段２４が備えられていて、そのインターフェース条件も標準化されているため、特にハードウエア的構成要件を付加する必要はない。
【００１６】
また、専用の電話機である各操作用電話３ａ、３ｂはそれぞれ電話装置１および２の制御手段１１および２１に接続され、各操作を行うものであるが、この操作用電話３ａ、３ｂに対するインターフェースも電話装置１、２には備えられている。また、操作用電話３ａ、３ｂの表示器には短縮ダイヤルのデータ、短縮ダイヤルを格納する記憶手段２２のアドレス等の必要なデータが表示されるようになっている。
【００１７】
次に、このような構成の短縮ダイヤル転送装置のより具体的な動作例について、図２のシーケンス図を参照しつつ説明する。いま、転送元である第１の電話装置に接続されている操作用電話３ａをオフフック（あるいはフックフラッシュ）にすると、制御手段１１は局線接続手段１３に対して回線を閉結させる。この時、転送先である第２の電話装置２は、予め操作用電話３ｂからの操作により、短縮ダイヤル転送モードに設定されている。
【００１８】
第２の電話装置２が回線の閉結を検出すると、操作用電話３ｂの表示器に記憶手段２２の短縮ダイヤルを格納する先頭アドレス（図では”０１”）を表示させる。なお、アドレスはこの例では順次シフトするよう構成されているが、所定の操作により適宜指定することもできる。
【００１９】
第１の電話装置１に接続されている操作用電話３ａから通常の短縮発信と同様の操作で、最初の短縮ダイヤルの発信操作（図の例では”短縮”＋”０１”をダイヤルする）を行う。第１の電話措置１の制御手段１１は記憶手段１２から該当するダイヤルを読み出し、局線接続手段１３を介して電話回線Ｉ／Ｆ４上に送出する。
【００２０】
送出されたダイヤル信号は、第２の電話装置２の単独電話接続手段２４を介して、制御手段２１により検出される。次に、転送元の操作用電話３ａではオンフック（あるいはフックフラッシュ）操作が行われる。これにより、回線を閉結したのと同様の手順で局線接続手段１３により回線が開放される。第２の電話装置２の制御手段２１がこれを検出すると、前記ダイヤル信号を記憶手段２２の先頭アドレス（”０１”）に記憶させる。
【００２１】
再び転送元である第１の電話装置１の操作用電話３ａでオフフック（あるいはフックフラッシュ）操作が行われ、転送先で次のアドレス（”０２”）が表示されて同様の操作（”短縮”＋”０２”をダイヤル等）により、次の短縮ダイヤルが転送先の次のアドレス（”０２”）に格納される。以下同様の操作により順次短縮ダイヤルが転送される。
【００２２】
【発明の効果】
以上のように本発明は、第１の電話装置に格納されている短縮ダイヤルを、第２の電話装置に転送するので、簡単な操作で確実に、しかも短時間に短縮ダイヤルの登録が可能となり、新たなハードウエアを必要とすることもない、という効果を有する。
【図面の簡単な説明】
【図１】  本発明にかかる短縮ダイヤル転送装置の基本構成を示したブロック図である。
【図２】  本発明にかかる短縮ダイヤル転送装置の具体的な動作例を示したシーケンス図である。
【図３】  従来の電話装置を示した図である。
【符号の説明】
１    第１の電話装置
１１    制御手段
１２    記憶手段
１３    局線接続手段
２    第２の電話装置
２１    制御手段
２２    記憶手段
２４    単独電話接続手段
３ａ，３ｂ  操作用電話
４    電話回線Ｉ／Ｆ
５    電話装置
６ａ〜６ｎ  単独電話
７    操作用電話
８    入力手段
【図１】
0003672647.tif 000002
【図２】
0003672647.tif 000003
【図３】
0003672647.tif 000004